(57)【要約】【課題】パイプ本体の露出を抑制できる配管カバーを提供すること。【解決手段】配管カバーは、管継手を収容する収容部と、前記管継手に接続されたパイプを前記収容部の外部に引き出す開口部と、を備え、施工面に設置される。配管カバーは、前記収容部のうち、少なくとも、前記管継手又は前記パイプから見て前記施工面側にある部分を含む基台と、前記基台を覆い、前記収容部の少なくとも一部を構成する蓋体と、前記基台のうち、前記パイプに対向する部分に設けられた第１リブと、前記蓋体のうち、前記パイプに対向する部分に設けられた第２リブと、を備える。前記第２リブは、前記開口部に近づくほど、前記施工面に近づくように傾斜している。【選択図】図１２
2018084262.tif 000002
【特許請求の範囲】
【請求項１】
管継手を収容する収容部と、
前記管継手に接続されたパイプを前記収容部の外部に引き出す開口部と、
を備え、施工面に設置される配管カバーであって、
前記収容部のうち、前記管継手又は前記パイプから見て前記施工面側にある部分を含む基台と、
前記基台を覆い、前記収容部の一部を構成する蓋体と、
前記基台のうち、前記パイプに対向する部分に設けられた第１リブと、
前記蓋体のうち、前記パイプに対向する部分に設けられた第２リブと、
を備え、
前記第２リブは、前記開口部に近づくほど、前記施工面に近づくように傾斜した配管カバー。
【請求項２】
請求項１に記載の配管カバーであって、
前記基台は、前記パイプの軸方向に沿った分割線において分割可能に構成された配管カバー。
【請求項３】
請求項１又は２に記載の配管カバーであって、
前記収容部の内面から、前記パイプに向けて延びる壁部を備える配管カバー。
【発明の詳細な説明】
【技術分野】
【０００１】
本開示は配管カバーに関する。
【背景技術】
【０００２】
従来、以下のような配管カバーが知られている。配管カバーは施工面に設置され、管継手を収容する。配管カバーは、施工面に取り付けられる基台と、その基台を覆う蓋体とで構成される。管継手に接続されたパイプは、配管カバーに設けられた開口部から引き出される。また、上記の配管カバーに加えて、パイプの全体を被覆するカバーも用いる（特許文献１参照）。
【先行技術文献】
【特許文献】
【０００３】
【特許文献１】特開２０１３−１０８５３３号公報
【発明の概要】
【発明が解決しようとする課題】
【０００４】
コストや施工の手間の観点から、パイプの全体を被覆するカバーは用いず、上記の配管カバーを用い、被覆パイプを接続した管継手を収容することがある。被覆パイプは、パイプ本体と、その外周面を覆う被覆部と、を備えるパイプである。この場合、配管カバーから引き出された被覆パイプは露出している。
【０００５】
被覆パイプの施工後、熱等の要因によってパイプ本体が伸びることがある。すると、管継手の近傍の被覆部は、管継手から離れる方向に引っ張られ、管継手の近傍でパイプ本体が露出する。露出したパイプ本体は紫外線や風雨に曝されるため、パイプ本体の耐久性が低下するおそれがある。本開示の一局面は、パイプ本体の露出を抑制できる配管カバーを提供することを目的とする。
【課題を解決するための手段】
【０００６】
本開示の一態様は、管継手を収容する収容部と、前記管継手に接続されたパイプを前記収容部の外部に引き出す開口部と、を備え、施工面に設置される配管カバーであって、前記収容部のうち、少なくとも、前記管継手又は前記パイプから見て前記施工面側にある部分を含む基台と、前記基台を覆い、前記収容部の少なくとも一部を構成する蓋体と、前記基台のうち、前記パイプに対向する部分に設けられた第１リブと、前記蓋体のうち、前記パイプに対向する部分に設けられた第２リブと、を備え、前記第２リブは、前記開口部に近づくほど、前記施工面に近づくように傾斜した配管カバーである。
【０００７】
被覆パイプを接続した管継手を本開示の配管カバーに収容すると、第２リブが被覆パイプの外周面に当接する。被覆部が収縮しようとするとき、被覆部には、開口部から引き出される方向の力がかかる。第２リブは、開口部に近づくほど、施工面に近づくように傾斜しているから、開口部から引き出されようとする被覆部及び被覆パイプ全体を施工面の方向に押しやる。被覆パイプから見て施工面側には基台が存在し、その基台は第１リブを備えるから、施工面の方向に押しやられた被覆パイプは、第１リブに押し付けられる。そのため、被覆部は第１リブ及び第２リブに強く当接し、開口部から引き出されにくくなる。その結果、本体部の露出を抑制できる。
【図面の簡単な説明】
【０００８】
【図１】配管カバー１の構成を表す斜視図である。
【図２】配管カバー１の構成を表す側面図である。
【図３】配管カバー１の構成を表す正面図である。
【図４】配管カバー１の構成を表す上面図である。
【図５】配管カバー１の構成を表す分解斜視図である。
【図６】基台２１の構成を表す分解斜視図である。
【図７】基台２１の構成を表す正面図である。
【図８】基台２１の構成を表す上面図である。
【図９】蓋体２２の構成を表す下面図である。
【図１０】図４におけるX-X断面での断面図である。
【図１１】図４におけるXI-XI断面での断面図である。
【図１２】管継手８及びパイプ２４を収容した状態における配管カバー１の構成を表す、X-X断面での断面図である。
【図１３】パイプ２４を収容した状態における配管カバー１の構成を表す、XI-XI断面での断面図である。
【図１４】図６におけるXIV-XIV断面での断面図である。
【図１５】蓋体２２の別形態を表す斜視図である。
【発明を実施するための形態】
【０００９】
本開示の実施形態を図面に基づき説明する。
＜第１実施形態＞
１．配管カバー１の構成
配管カバー１の構成を図１〜図１３に基づき説明する。図２に示すように、配管カバー１は、施工面３Ａ、３Ｂに設置される。施工面３Ａ、３Ｂは、いわゆる出隅の形態を有し、施工面３Ａと施工面３Ｂとは略直交する。配管カバー１は樹脂から成る。
【００１０】
図１〜図５に示すように、配管カバー１は、中空の収容部５と、フランジ７Ａ、７Ｂと、を備える。図１２に示すように、収容部５は、その内部に管継手８を収容可能である。図１、図２に示すように、収容部５は、筒状の第１部９と、同じく筒状の第２部１１とを、略Ｌ字型に接合した形態を有する。第１部９のうち、施工面３Ａに当接する面（以下では底部１３Ａとする）は平坦である。第１部９における両側の側面１５Ａは、底部１３Ａの両端から、施工面３Ａに直交する方向に延びる。
【００１１】
図１、図３に示すように、第１部９のうち、底部１３Ａと対向する部分（以下では天井部１６Ａとする）は、円筒を半割りにした形状を有する。天井部１６Ａは、１対の側面１５Ａとそれぞれ接続している。
【００１２】
第１部９における端部１７Ａのうち、天井部１６Ａ側の部分（以下ではテーパー部１８Ａとする）は、テーパー形状を有する。端部１７Ａのうち、底部１３Ａ側の部分（以下では直立部２０Ａとする）は、底部１３Ａから直立している。
【００１３】
端部１７Ａには開口部１９Ａが設けられている。開口部１９Ａは第１部９の内部と外部とを連通する孔である。図１２に示すように、開口部１９Ａから、管継手８に接続されたパイプ２４を収容部５の外部に引き出すことができる。パイプ２４は、パイプ本体２６と、その外周面を覆う被覆部２８とを備える被覆パイプである。パイプ本体２６の材質は、例えば、架橋ポリエチレン、ポリブテン、塩化ビニル等である。被覆部２８の材質は、例えば、ポリエチレンフォーム、ポリウレタンフォーム等である。
【００１４】
図３に示すように、第１部９の軸方向から見て、開口部１９Ａの形状は円形である。開口部１９Ａの一部はテーパー部１８Ａに設けられ、残りは直立部２０Ａに設けられている。
【００１５】
テーパー部１８Ａは、天井部１６Ａの内面から、パイプ２４に向けて延びる壁部に対応する。直立部２０Ａは、底部１３Ａ及び側面１５Ａの内面からパイプ２４に向けて延びる壁部に対応する。開口部１９Ａは、テーパー部１８Ａ及び直立部２０Ａによって、第１部９における軸方向内側の部分に比べて狭窄されている。
【００１６】
第２部１１も第１部９と同様の形態を有する。第２部１１における底部を１３Ｂとし、側面を１５Ｂとし、天井部を１６Ｂとし、端部を１７Ｂとし、開口部を１９Ｂとし、テーパー部を１８Ｂとし、直立部を２０Ｂとする。
【００１７】
図１、図３、図４に示すように、フランジ７Ａは、第１部９の両側に張り出している。フランジ７Ｂは、第２部１１の両側に張り出している。フランジ７Ａは、底部１３Ａと面一であり、施工面３Ａに沿って延びている。フランジ７Ｂは、底部１３Ｂと面一であり、施工面３Ｂに沿って延びている。フランジ７Ａとフランジ７Ｂとは、Ｌ字型の頂点において接続しており、側面視において、図２に示すように、全体としてＬ字型の形態を有する。
【００１８】
フランジ７Ａ、７Ｂの表面には、凹部３４が形成されている。フランジ７Ａ、７Ｂをビス等により施工面に固定することができる。ビスを凹部３４に打つことができる。フランジ７Ａ、７Ｂをビス等により施工面に固定することで、フランジ７Ａ、７Ｂと施工面との隙間を低減できる。そのため、隙間から光や異物が配管カバー１の内部に侵入することを抑制できる。その結果、管継手８及びパイプ２４の耐久性を向上させることができる。凹部３４は、ビスを打つ位置の目安となる。そのため、ビスを打つ位置がずれることを抑制できる。その結果、施工後の美観を向上させることができる。
【００１９】
図５に示すように、配管カバー１は、基台２１と、蓋体２２とにより構成される。基台２１と蓋体２２とは分解可能である。基台２１は、底部１３Ａ、１３Ｂ、直立部２０Ａ、２０Ｂを備える。さらに、基台２１は、側壁２３Ａ、２３Ｂを備える。側壁２３Ａは、底部１３Ａの両端から、底部１３Ａと直交する方向に延びている。側壁２３Ａは、直立部２０Ａとも接続している。側壁２３Ｂは、底部１３Ｂの両端から、底部１３Ｂと直交する方向に延びている。側壁２３Ｂは、直立部２０Ｂとも接続している。
【００２０】
図５に示すように、蓋体２２は、配管カバー１のうち、基台２１を除く部分から成る。蓋体２２は、１対のフランジ７Ａの間に開放口２５Ａを備えるとともに、１対のフランジ７Ｂの間に開放口２５Ｂを備える。開放口２５Ａ、２５Ｂは、蓋体２２の内部と外部とを連通する。
【００２１】
基台２１を蓋体２２で覆うことで、配管カバー１が組み立てられる。図１１に示すように、配管カバー１を組み立てるとき、１対の側壁２３Ａは開放口２５Ａに差し込まれ、側面１５Ａに内接する。また、１対の側壁２３Ｂは開放口２５Ｂに差し込まれ、側面１５Ｂに内接する。
【００２２】
収容部５のうち、一部は基台２１により構成され、残りは蓋体２２により構成される。図１２に示すように、管継手８及びパイプ２４から見て、底部１３Ａは施工面３Ａの側にあり、底部１３Ｂは施工面３Ｂの側にある。底部１３Ａ、１３Ｂは基台２１の一部である。
【００２３】
図６に示すように、基台２１は、２つの分割片２７、２９に分割可能である。図６〜図８に示すように、分割片２７、２９は、パイプ２４の軸方向に沿った分割線３１において、基台２１を分割して成る。分割線３１は、後述する凸部３３、凹部３７を除き、底部１３Ａ、１３Ｂの中央を通る。よって、底部１３Ａ、１３Ｂの一部は分割片２７に属し、残りは分割片２９に属する。１対の側壁２３Ａのうち、一方は分割片２７に属し、残りは分割片２９に属する。１対の側壁２３Ｂのうち、一方は分割片２７に属し、残りは分割片２９に属する。直立部２０Ａ、２０Ｂは分割線３１により２分され、一方は分割片２７に属し、残りは分割片２９に属する。
【００２４】
分割片２７は、分割片２９に向けて突出する凸部３３を備える。凸部３３の先端には、さらに突出する差込部３５を備える。差込部３５は先端にゆくほど、図６における上方向に上昇するように、ゆるやかに傾斜している。
【００２５】
分割片２９は、凸部３３を収容可能な凹部３７を備える。凹部３７の最奥部には、差込部３５を差し込み可能な孔３９が形成されている。孔３９は、側壁２３Ａを貫通している。  
【００２６】
図１４に示すように、側壁２３Ａのうち、孔３９に臨む内壁部３０は、差込部３５の入口側（図１４における右側）に位置する部分（以下では入口部３０Ａとする）と、入口部３０Ａよりも奥側（図１４における左側）に位置し、入口部３０Ａよりも、図１４において一段高くなった部分（以下では奥部３０Ｂとする）とを備える。入口部３０Ａと奥部３０Ｂとの間には段差部３２が存在する。
【００２７】
凸部３３を凹部３７に進入させ、差込部３５を孔３９に差し込むことで、分割片２７、２９が組み付けられる。差込部３５を孔３９に差し込むとき、差込部３５の先端付近は、当初、入口部３０Ａに当接しながら、孔３９の奥に進む。このとき、差込部３５は、入口部３０Ａによって、図１４における下方に押され、弾性変形している。
【００２８】
差込部３５をさらに差し込むと、差込部３５の先端は、段差部３２を越え、奥部３０Ｂに当接しながらさらに進む。差込部３５の先端が段差部３２を越えたとき、差込部３５は、弾性変形により生じた反力により、勢いよく、図１４における上方に進み、奥部３０Ｂに衝突するため、発音する。組み付けが完了したとき、差込部３５の先端は、孔３９のうち、段差部３２よりも奥の部分にある。
【００２９】
差込部３５が上記のように傾斜していることにより、孔３９から差込部３５を容易に引き抜くことができる。よって、分割片２７、２９を分解することが容易である。
また、上記のように、分割片２７、２９を組み付けるとき、差込部３５の先端が奥部３０Ｂに当たり、発音する。そのため、組み付けの確認が容易になる。
【００３０】
また、孔３９が側壁２３Ａを貫通しているため、側壁２３Ａの外側から、孔３９と差込部３５との位置関係を視認できる。そのため、分割片２７、２９の組み付け不良の発見が容易である。  
【００３１】
図１０〜図１３に示すように、基台２１は、１対の側壁２３Ａの内面に、それぞれ、第１リブ４１Ａ、４３Ａを備える。側壁２３Ａの内面は、基台２１のうち、パイプ２４に対向する部分に対応する。
【００３２】
図１０、図１２に示すように、第１リブ４１Ａ、４３Ａは、パイプ２４の軸方向（すなわち第１部９の軸方向）に沿って配列されている。図１０、図１２に示すように、側面視において、第１リブ４１Ａ、４３Ａは、それぞれ、パイプ２４の周方向（すなわち底部１３Ａに直交する方向）に沿って延びている。図１１、図１３に示すように、正面視において、第１リブ４１Ａ、４３Ａは、パイプ２４の内側（すなわち第１部９の内側）に向けて延びており、その先端においてパイプ２４の外周面に当接する。
【００３３】
また、基台２１は、１対の側壁２３Ｂの内面に、それぞれ、第１リブ４１Ｂ、４３Ｂを備える。側壁２３Ｂの内面は、基台２１のうち、パイプ２４に対向する部分に対応する。図１０、図１２に示すように、第１リブ４１Ｂ、４３Ｂは、パイプ２４の軸方向に沿って配列されている。図１０、図１２に示すように、側面視において、第１リブ４１Ｂ、４３Ｂは、それぞれ、パイプ２４の周方向（すなわち底部１３Ｂに直交する方向）に沿って延びている。図１１、図１３に示すように、正面視において、第１リブ４１Ｂ、４３Ｂは、パイプ２４の内側（すなわち第２部１１の内側）に向けて延びており、その先端においてパイプ２４の外周面に当接する。
【００３４】
図９、図１０〜図１３に示すように、蓋体２２は、天井部１６Ａのうち、１対の側面１５Ａに隣接する部分の内面に、それぞれ、第２リブ４５Ａ、４７Ａを備える。側面１５Ａに隣接する部分の内面は、蓋体２２のうち、パイプ２４に対向する部分に対応する。
【００３５】
第２リブ４５Ａ、４７Ａは、パイプ２４の軸方向（すなわち第１部９の軸方向）に沿って配列されている。図１０、図１２に示すように、側面視において、第２リブ４５Ａ、４７Ａは、開口部１９Ａに近づくほど、施工面３Ａに近づくように傾斜している。図１１、図１３に示すように、正面視において、第２リブ４５Ａ、４７Ａは、パイプ２４の内側（すなわち第１部９の内側）に向けて延びており、その先端においてパイプ２４の外周面に当接する。図１０〜図１３に示すように、第２リブ４５Ａ、４７Ａにおける底部１３Ａ側の端部と、第１リブ４１Ａ、４３Ａにおける天井部１６Ａ側の端部とは、近接し、対向している。
【００３６】
また、図９、図１０、図１２に示すように、蓋体２２は、天井部１６Ｂのうち、１対の側面１５Ｂに隣接する部分の内面に、それぞれ、第２リブ４５Ｂ、４７Ｂを備える。側面１５Ｂに隣接する部分の内面は、蓋体２２のうち、パイプ２４に対向する部分に対応する。
【００３７】
第２リブ４５Ｂ、４７Ｂは、パイプ２４の軸方向（すなわち第２部１１の軸方向）に沿って配列されている。図１０、図１２に示すように、側面視において、第２リブ４５Ｂ、４７Ｂは、開口部１９Ｂに近づくほど、施工面３Ｂに近づくように傾斜している。正面視において、第２リブ４５Ｂ、４７Ｂは、パイプ２４の内側（すなわち第２部１１の内側）に向けて延びており、その先端においてパイプ２４の外周面に当接する。図１０、図１２に示すように、第２リブ４５Ｂ、４７Ｂにおける底部１３Ｂ側の端部と、第１リブ４１Ｂ、４３Ｂにおける天井部１６Ｂ側の端部とは、近接し、対向している。
【００３８】
２．配管カバー１が奏する効果
（１Ａ）図１２、図１３に示すように、パイプ２４を接続した管継手８を配管カバー１に収容すると、第２リブ４５Ａ、４７Ａがパイプ２４における被覆部２８に当接する。被覆部２８が収縮しようとするとき、被覆部２８には、開口部１９Ａから引き出される方向の力がかかる。第２リブ４５Ａ、４７Ａは、開口部１９Ａに近づくほど、施工面３Ａに近づくように傾斜しているから、開口部１９Ａから引き出されようとする被覆部２８及びパイプ２４全体を施工面３Ａの方向に押しやる。パイプ２４から見て施工面３Ａの側には基台２１が存在し、その基台２１は第１リブ４１Ａ、４３Ａを備えるから、施工面３Ａの方向に押しやられたパイプ２４は、第１リブ４１Ａ、４３Ａに押し付けられる。そのため、被覆部２８は第１リブ４１Ａ、４３Ａ及び第２リブ４５Ａ、４７Ａに強く当接し、開口部１９Ａから引き出されにくくなる。その結果、パイプ本体２６の露出を抑制できる。
【００３９】
また、第１リブ４１Ｂ、４３Ｂ第及び第２リブ４５Ｂ、４７Ｂも、開口部１９Ｂから引き出されているパイプ２４について、同様の効果を奏する。
（１Ｂ）第１リブ４１Ａ、４３Ａは、パイプ２４の周方向に沿って延びる。そのため、被覆部２８は、第１リブ４１Ａ、４３Ａに一層強く引っかかり、開口部１９Ａから一層引き出されにくくなる。また、第１リブ４１Ｂ、４３Ｂは、パイプ２４の周方向に沿って延びる。そのため、被覆部２８は、開口部１９Ｂから一層引き出されにくくなる。
【００４０】
（１Ｃ）基台２１は、パイプ２４の軸方向に沿った分割線３１において分割可能に構成されている。そのため、例えば、分割片２７、２９に分割された状態で、基台２１を、管継手８及びパイプ２４と、施工面３Ａ、３Ｂとの間に差し込み、その後、分割片２７、２９を組み付けることができる。そのため、管継手８及びパイプ２４を施工面３Ａ、３Ｂに施工した後で、基台２１を施工面３Ａ、３Ｂに配置することが容易になる。
【００４１】
（１Ｄ）配管カバー１は、開口部１９Ａにおいて、テーパー部１８Ａ、及び直立部２０Ａを備える。それらは、収容部５の内面から、パイプ２４に向けて延びる。そのため、開口部１９Ａにおいて、パイプ２４と配管カバー１との隙間を小さくすることができる。その結果、配管カバー１による遮光性が一層向上する。
【００４２】
また、配管カバー１は、開口部１９Ｂにおいて、テーパー部１８Ｂ、及び直立部２０Ｂを備える。それらは、収容部５の内面から、パイプ２４に向けて延びる。そのため、開口部１９Ｂにおいて、パイプ２４と配管カバー１との隙間を小さくすることができる。その結果、配管カバー１による遮光性が一層向上する。
＜他の実施形態＞
以上、本開示の実施形態について説明したが、本開示は上述の実施形態に限定されることなく、種々変形して実施することができる。
【００４３】
（１）配管カバー１は、出隅以外の施工面に配置されるものであってもよい。例えば、配管カバー１は、平坦な施工面に設置されるものであってもよい。この場合、配管カバー１の形態を、軸方向が直線である筒状のカバーとして、ソケット継手等をカバーする形態とすることができる。また、エルボやチーズ等、平面上で曲り流路を有する継手等をカバーする形態とすることもできる。さらに、入隅に配置されるものであってもよい。
【００４４】
（２）第１リブの数は４以外であってもよく、例えば、１、２、３、５・・・とすることができる。また、第２リブの数は４以外であってもよく、例えば、１、２、５・・・とすることができる。
【００４５】
（３）第１リブ４１Ａ、４３Ａ、第２リブ４５Ａ、４７Ａの位置は適宜設定できる。例えば、第１リブ４１Ａ、４３Ａ、を底部１３Ａの内面に設けてもよい。また、第２リブ４５Ａ、４７Ａを、天井部１６Ａのうち、底部１３Ａと対向する部分に設けてもよい。第１リブ４１Ｂ、４３Ｂ、第２リブ４５Ｂ、４７Ｂについても同様である。
【００４６】
（４）基台２１と蓋体２２とは、嵌め合わされる構成を有していてもよいし、嵌め合わされない構成を有していてもよい。
（５）基台２１は、蓋体２２の高さを調整するスペーサの機能を有していてもよい。
【００４７】
（６）蓋体２２は、２以上の部材を組み合わせて構成されてもよい。例えば、蓋体２２は、図１５に示すように、分割片４９、５１を組み合わせて構成されてもよい。分割片４９は、底部１３Ａを覆う半筒形状の部材である。フランジ７Ａは分割片４９の一部である。分割片５１は、底部１３Ｂを覆うとともに、Ｌ字型の蓋体２２における中央を構成する中央部５３を備える。フランジ７Ｂは分割片５１の一部である。分割片４９は、分割片５１に組みつけられるとき、中央部５３に内接する内接部５５を備える。
【００４８】
（７）本開示の態様には、以下のものが含まれる。管継手を収容する収容部と、前記管継手に接続されたパイプを前記収容部の外部に引き出す開口部と、を備え、施工面に設置される配管カバーであって、前記収容部のうち、前記管継手又は前記パイプから見て前記施工面側にある部分を含む基台と、前記基台を覆い、前記収容部の一部を構成する蓋体と、を備え、前記基台は、前記配管の軸方向に沿った分割線において分割可能に構成された配管カバー。
【００４９】
（８）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００５０】
（９）上述した配管カバー１の他、当該配管カバー１を構成要素とするシステム、配管カバー１の配置方法等、種々の形態で本開示を実現することもできる。
【符号の説明】
【００５１】
１…配管カバー、３Ａ、３Ｂ…施工面、５…収容部、７Ａ、７Ｂ…フランジ、８…管継手、９…第１部、１１…第２部、１３Ａ、１３Ｂ…底部、１５Ａ、１５Ｂ…側面、１６Ａ、１６Ｂ…天井部、１７Ａ、１７Ｂ…端部、１８Ａ、１８Ｂ…テーパー部、１９Ａ、１９Ｂ…開口部、２０Ａ、２０Ｂ…直立部、２１…基台、２２…蓋体、２３Ａ、２３Ｂ…側壁、２４…パイプ、２５Ａ、２５Ｂ…開放口、２６…パイプ本体、２７、２９…分割片、２８…被覆部、３１…分割線、３３…凸部、３５…差込部、３７…凹部、３９…孔、４１Ａ、４３Ａ、４１Ｂ、４３Ｂ…第１リブ、４５Ａ、４７Ａ、４５Ｂ、４７Ｂ…第２リブ
【図１】
2018084262.tif 000003
【図２】
2018084262.tif 000004
【図３】
2018084262.tif 000005
【図４】
2018084262.tif 000006
【図５】
2018084262.tif 000007
【図６】
2018084262.tif 000008
【図７】
2018084262.tif 000009
【図８】
2018084262.tif 000010
【図９】
2018084262.tif 000011
【図１０】
2018084262.tif 000012
【図１１】
2018084262.tif 000013
【図１２】
2018084262.tif 000014
【図１３】
2018084262.tif 000015
【図１４】
2018084262.tif 000016
【図１５】
2018084262.tif 000017
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
管継手を収容する収容部と、
前記管継手に接続されたパイプを前記収容部の外部に引き出す開口部と、
を備え、施工面に設置される配管カバーであって、
前記収容部のうち、前記管継手又は前記パイプから見て前記施工面側にある部分を含む基台と、
前記基台を覆い、前記収容部の一部を構成する蓋体と、
前記基台のうち、前記パイプに対向する部分に設けられ、前記パイプの外周面に当接する第１リブと、
前記蓋体のうち、前記パイプに対向する部分に設けられ、前記パイプの外周面に当接する第２リブと、
を備え、
前記第２リブにおける前記基台側の端部と、前記第１リブにおける前記基台側とは反対側の端部とは対向し、
前記第２リブは、前記パイプの軸方向に対して傾斜した配管カバー。
【請求項２】
エルボである管継手を収容する収容部と、
前記管継手の両端部に接続されたパイプをそれぞれ前記収容部の外部に引き出す一対の開口部と、
を備え、施工面の出隅に設置される配管カバーであって、
前記収容部のうち、前記管継手又は前記パイプから見て前記施工面側にある部分を含むＬ字型の基台と、
前記基台を覆い、前記収容部の一部を構成するＬ字型の蓋体と、
前記基台の両端において、前記パイプに対向する部分に設けられ、前記パイプの外周面に当接する第１リブと、
前記蓋体の両端において、前記パイプに対向する部分に設けられ、前記パイプの外周面に当接する第２リブと、
を備え、
前記第２リブにおける前記基台側の端部と、前記第１リブにおける前記基台側とは反対側の端部とは対向し、
前記第２リブは、前記開口部に近づくほど、前記施工面に近づくように傾斜した配管カバー。
【請求項３】
エルボである管継手を収容する収容部と、
前記管継手の両端部に接続されたパイプをそれぞれ前記収容部の外部に引き出す一対の開口部と、
を備え、施工面の出隅に設置される配管カバーであって、
前記収容部の一部を構成するＬ字型の蓋体と、
前記蓋体の両端において、前記パイプに対向する部分に設けられ、前記パイプの外周面に当接するリブと、
を備え、
前記リブは、前記開口部に近づくほど、前記施工面に近づくように傾斜した配管カバー。
【手続補正２】
【補正対象書類名】明細書
【補正対象項目名】０００６
【補正方法】変更
【補正の内容】
【０００６】
本開示の一態様は、管継手を収容する収容部と、前記管継手に接続されたパイプを前記収容部の外部に引き出す開口部と、を備え、施工面に設置される配管カバーであって、前記収容部のうち、前記管継手又は前記パイプから見て前記施工面側にある部分を含む基台と、前記基台を覆い、前記収容部の一部を構成する蓋体と、前記基台のうち、前記パイプに対向する部分に設けられ、前記パイプの外周面に当接する第１リブと、前記蓋体のうち、前記パイプに対向する部分に設けられ、前記パイプの外周面に当接する第２リブと、を備え、前記第２リブにおける前記基台側の端部と、前記第１リブにおける前記基台側とは反対側の端部とは対向し、前記第２リブは、前記パイプの軸方向に対して傾斜した配管カバーである。
【手続補正３】
【補正対象書類名】明細書
【補正対象項目名】０００７
【補正方法】変更
【補正の内容】
【０００７】
被覆パイプを接続した管継手を本開示の配管カバーに収容すると、第１リブ及び第２リブが被覆パイプの外周面に当接する。そのため、被覆部は、開口部から引き出されにくくなる。その結果、本体部の露出を抑制できる。
【手続補正４】
【補正対象書類名】明細書
【補正対象項目名】００４８
【補正方法】変更
【補正の内容】
【００４８】
（７）本開示の態様には、以下のものが含まれる。管継手を収容する収容部と、前記管継手に接続されたパイプを前記収容部の外部に引き出す開口部と、を備え、施工面に設置される配管カバーであって、前記収容部のうち、前記管継手又は前記パイプから見て前記施工面側にある部分を含む基台と、前記基台を覆い、前記収容部の一部を構成する蓋体と、を備え、前記基台は、前記配管の軸方向に沿った分割線において分割可能に構成された配管カバー。
また、本開示の態様には、以下のものが含まれる。上述した配管カバーであって、前記基台は、前記パイプの軸方向に沿った分割線において分割可能に構成された配管カバー。
また、本開示の態様には、以下のものが含まれる。上述した配管カバーであって、前記収容部の内面から、前記パイプに向けて延びる壁部を備える配管カバー。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
管継手を収容する収容部と、
前記管継手に接続されたパイプを前記収容部の外部に引き出す開口部と、
を備え、施工面に設置される配管カバーであって、
前記収容部のうち、前記管継手又は前記パイプから見て前記施工面側にある部分を含む基台と、
前記基台を覆い、前記収容部の一部を構成する蓋体と、
前記基台のうち、前記パイプに対向する部分に設けられ、前記パイプの外周面に当接する第１リブと、
前記蓋体のうち、前記パイプに対向する部分に設けられ、前記パイプの外周面に当接する第２リブと、
を備え、
前記第２リブにおける前記基台側の端部と、前記第１リブにおける前記基台側とは反対側の端部とは対向し、
前記第２リブは、前記パイプの軸方向に対して傾斜した配管カバー。
【請求項２】
エルボである管継手を収容する収容部と、
前記管継手の両端部に接続されたパイプをそれぞれ前記収容部の外部に引き出す一対の開口部と、
を備え、施工面の出隅に設置される配管カバーであって、
前記収容部のうち、前記管継手又は前記パイプから見て前記施工面側にある部分を含むＬ字型の基台と、
前記基台を覆い、前記収容部の一部を構成するＬ字型の蓋体と、
前記基台の両端において、前記パイプに対向する部分に設けられ、前記パイプの外周面に当接する第１リブと、
前記蓋体の両端において、前記パイプに対向する部分に設けられ、前記パイプの外周面に当接する第２リブと、
を備え、
前記第２リブにおける前記基台側の端部と、前記第１リブにおける前記基台側とは反対側の端部とは対向し、
前記第２リブは、前記開口部に近づくほど、前記施工面に近づくように傾斜した配管カバー。
【手続補正２】
【補正対象書類名】明細書
【補正対象項目名】００４８
【補正方法】変更
【補正の内容】
【００４８】
（７）本開示の態様には、以下のものが含まれる。管継手を収容する収容部と、前記管継手に接続されたパイプを前記収容部の外部に引き出す開口部と、を備え、施工面に設置
される配管カバーであって、前記収容部のうち、前記管継手又は前記パイプから見て前記施工面側にある部分を含む基台と、前記基台を覆い、前記収容部の一部を構成する蓋体と、を備え、前記基台は、前記配管の軸方向に沿った分割線において分割可能に構成された配管カバー。
また、本開示の態様には、以下のものが含まれる。上述した配管カバーであって、前記基台は、前記パイプの軸方向に沿った分割線において分割可能に構成された配管カバー。
また、本開示の態様には、以下のものが含まれる。上述した配管カバーであって、前記収容部の内面から、前記パイプに向けて延びる壁部を備える配管カバー。
また、本開示の態様には、以下のものが含まれる。
エルボである管継手を収容する収容部と、
前記管継手の両端部に接続されたパイプをそれぞれ前記収容部の外部に引き出す一対の開口部と、
を備え、施工面の出隅に設置される配管カバーであって、
前記収容部の一部を構成するＬ字型の蓋体と、
前記蓋体の両端において、前記パイプに対向する部分に設けられ、前記パイプの外周面に当接するリブと、
を備え、
前記リブは、前記開口部に近づくほど、前記施工面に近づくように傾斜した配管カバー。